(57)【特許請求の範囲】
【請求項１】
複数の発光部と１つの受光部とを備えた第１のアレイ光源と、
複数の発光部と１つの受光部とを備えた第２のアレイ光源と、
前記第１のアレイ光源における各々の発光部の発光を制御する第１の光源制御部と、
前記第２のアレイ光源における各々の発光部の発光を制御する第２の光源制御部と、
前記第１の光源制御部及び前記第２の光源制御部を制御する書込制御部と、
前記第１のアレイ光源の各々の発光部及び前記第２のアレイ光源の各々の発光部より出射された光の向きを偏向する偏向部と、
前記偏向部において偏向された光が入射することにより、同期検知信号を発生させる同期検知素子と、
を有し、
前記第１の光源制御部及び第２の光源制御部には、前記同期検知信号に基づき生成された各々の発光部に対応するラインＡＰＣ信号と、各々の発光部を初期化するための初期化信号と、が含まれている各々の発光部に対応するＡＰＣ信号が各々入力されており、
前記第１のアレイ光源における各々の発光部の初期化を行った後、前記第２のアレイ光源における各々の発光部の初期化を行うものであって、
前記第１のアレイ光源における各々の発光部の初期化を行っている間には、前記第２の光源制御部には、前記第２のアレイ光源における各々の発光部を発光させない信号が入力されており、
各々の前記ラインＡＰＣ信号及び前記初期化信号は、前記各々の発光部に対応して設けられた各々の論理素子に入力されており、
前記ＡＰＣ信号は、前記ラインＡＰＣ信号と前記初期化信号とを合わせた信号であって、
前記第１のアレイ光源における各々の発光部の初期化を行っている間には、前記第２のアレイ光源における各々の発光部に対応する論理素子には、前記ラインＡＰＣ信号に代えて、前記第２のアレイ光源における各々の発光部を発光させない信号が入力されていることを特徴とする光ビーム走査装置。
【請求項２】
前記第２のアレイ光源における各々の発光部に対応する論理素子に、前記ラインＡＰＣ信号に代えて、前記第２のアレイ光源における各々の発光部を発光させない信号が入力されている期間は、前記第１のアレイ光源及び前記第２のアレイ光源におけるすべての発光部の初期化が終了するまでであることを特徴とする請求項１に記載の光ビーム走査装置。
【請求項３】
複数の発光部と１つの受光部とを備えた第１のアレイ光源と、
複数の発光部と１つの受光部とを備えた第２のアレイ光源と、
前記第１のアレイ光源における各々の発光部の発光を制御する第１の光源制御部と、
前記第２のアレイ光源における各々の発光部の発光を制御する第２の光源制御部と、
前記第１の光源制御部及び前記第２の光源制御部を制御する書込制御部と、
前記第１のアレイ光源の各々の発光部及び前記第２のアレイ光源の各々の発光部より出射された光の向きを偏向する偏向部と、
前記偏向部において偏向された光が入射することにより、同期検知信号を発生させる同期検知素子と、
を有し、
前記第１の光源制御部及び第２の光源制御部には、前記同期検知信号に基づき生成された各々の発光部に対応するラインＡＰＣ信号と、各々の発光部を初期化するための初期化信号と、が含まれている各々の発光部に対応するＡＰＣ信号が各々入力されており、
前記第１のアレイ光源における各々の発光部の初期化を行った後、前記第２のアレイ光源における各々の発光部の初期化を行うものであって、
前記第１のアレイ光源における各々の発光部の初期化を行っている間には、前記第２の光源制御部には、前記第２のアレイ光源における各々の発光部を発光させない信号が入力されており、
各々の前記ラインＡＰＣ信号及び前記初期化信号はＬアクティブな信号であって、
各々の前記ラインＡＰＣ信号及び前記初期化信号は、前記各々の発光部に対応して設けられた各々のＡＮＤ回路に入力されており、
各々の前記ＡＰＣ信号は、前記ＡＮＤ回路において前記ラインＡＰＣ信号と前記初期化信号との論理積がとられ出力された信号であって、
前記第１のアレイ光源における各々の発光部の初期化を行っている間には、前記第２のアレイ光源における各々の発光部に対応するＡＮＤ回路には、前記ラインＡＰＣ信号に代えて、Ｈ状態の信号が入力されていることを特徴とする光ビーム走査装置。
【請求項４】
前記第２のアレイ光源における各々の発光部に対応するＡＮＤ回路に、前記ラインＡＰＣ信号に代えて、Ｈ状態の信号が入力されている期間は、前記第１のアレイ光源及び前記第２のアレイ光源におけるすべての発光部の初期化が終了するまでであることを特徴とする請求項３に記載の光ビーム走査装置。
【請求項５】
各々の前記ラインＡＰＣ信号は、ラインＡＰＣ制御部において生成されるものであって、
前記第２のアレイ光源の各々の発光部に対応する各々の前記ラインＡＰＣ制御部と前記ＡＮＤ回路との間には、各々信号制御部が設けられており、
前記ラインＡＰＣ信号に代えて、Ｈ状態の信号が入力されている期間は、前記信号制御部よりＨ状態の信号が、前記ＡＮＤ回路に入力されており、
前記ラインＡＰＣ信号に代えて、Ｈ状態の信号が入力されている期間の後は、前記信号制御部において、前記ラインＡＰＣ制御部と前記ＡＮＤ回路とが接続されることを特徴とする請求項３または４に記載の光ビーム走査装置。
【請求項６】
前記第２のアレイ光源における各々の発光部に対応するＡＮＤ回路に、前記ラインＡＰＣ信号に代えて、Ｈ状態の信号が入力されている期間は、前記書込制御部に前記同期検知信号が入力された回数により制御されることを特徴とする請求項３から５のいずれかに記載の光ビーム走査装置。
【請求項７】
前記同期検知素子は、１つであることを特徴とする請求項１から６のいずれかに記載の光ビーム走査装置。
【請求項８】
複数の発光部と１つの受光部とを備えた第１のアレイ光源と、複数の発光部と１つの受光部とを備えた第２のアレイ光源と、前記第１のアレイ光源における各々の発光部の発光を制御する第１の光源制御部と、前記第２のアレイ光源における各々の発光部の発光を制御する第２の光源制御部と、前記第１の光源制御部及び前記第２の光源制御部を制御する書込制御部と、前記第１のアレイ光源の各々の発光部及び前記第２のアレイ光源の各々の発光部より出射された光の向きを偏向する偏向部と、前記偏向部において偏向された光が入射することにより、同期検知信号を発生させる同期検知素子と、を有し、前記第１の光源制御部及び第２の光源制御部には、前記同期検知信号に基づき生成された各々の発光部に対応するラインＡＰＣ信号と、各々の発光部を初期化するための初期化信号と、が含まれている各々の発光部に対応するＡＰＣ信号が各々入力されている光ビーム走査装置における光ビーム走査方法において、
前記第１のアレイ光源における各々の発光部の初期化を行う工程と、
前記第１のアレイ光源における各々の発光部の初期化を行う工程の後、前記第１のアレイ光源における各々の発光部の初期化を行う工程と、
を有し、
前記第１のアレイ光源における各々の発光部の初期化を行う工程が行われている間は、前記第２の光源制御部には、前記第２のアレイ光源における各々の発光部を発光させない信号が入力されており、
各々の前記ラインＡＰＣ信号及び前記初期化信号は、前記各々の発光部に対応して設けられた各々の論理素子に入力されており、
前記ＡＰＣ信号は、前記ラインＡＰＣ信号と前記初期化信号とを合わせた信号であって、
前記第１のアレイ光源における各々の発光部の初期化を行っている間には、前記第２のアレイ光源における各々の発光部に対応する論理素子には、前記ラインＡＰＣ信号に代えて、前記第２のアレイ光源における各々の発光部を発光させない信号が入力されていることを特徴とする光ビーム走査方法。
【請求項９】
複数の発光部と１つの受光部とを備えた第１のアレイ光源と、複数の発光部と１つの受光部とを備えた第２のアレイ光源と、前記第１のアレイ光源における各々の発光部の発光を制御する第１の光源制御部と、前記第２のアレイ光源における各々の発光部の発光を制御する第２の光源制御部と、前記第１の光源制御部及び前記第２の光源制御部を制御する書込制御部と、前記第１のアレイ光源の各々の発光部及び前記第２のアレイ光源の各々の発光部より出射された光の向きを偏向する偏向部と、前記偏向部において偏向された光が入射することにより、同期検知信号を発生させる同期検知素子と、を有し、前記第１の光源制御部及び第２の光源制御部には、前記同期検知信号に基づき生成された各々の発光部に対応するラインＡＰＣ信号と、各々の発光部を初期化するための初期化信号と、が含まれている各々の発光部に対応するＡＰＣ信号が各々入力されている光ビーム走査装置における光ビーム走査方法において、
前記第１のアレイ光源における各々の発光部の初期化を行う工程と、
前記第１のアレイ光源における各々の発光部の初期化を行う工程の後、前記第１のアレイ光源における各々の発光部の初期化を行う工程と、
を有し、
前記第１のアレイ光源における各々の発光部の初期化を行う工程が行われている間は、前記第２の光源制御部には、前記第２のアレイ光源における各々の発光部を発光させない信号が入力されており、
各々の前記ラインＡＰＣ信号及び前記初期化信号はＬアクティブな信号であって、
各々の前記ラインＡＰＣ信号及び前記初期化信号は、前記各々の発光部に対応して設けられた各々のＡＮＤ回路に入力されており、
各々の前記ＡＰＣ信号は、前記ＡＮＤ回路において前記ラインＡＰＣ信号と前記初期化信号との論理積がとられ出力された信号であって、
前記第１のアレイ光源における各々の発光部の初期化を行っている間には、前記第２のアレイ光源における各々の発光部に対応するＡＮＤ回路には、前記ラインＡＰＣ信号に代えて、Ｈ状態の信号が入力されていることを特徴とする光ビーム走査方法。
【発明の詳細な説明】
【技術分野】
【０００１】
本発明は、光ビーム走査装置及び光ビーム走査方法に関する。
【背景技術】
【０００２】
電子写真方式の画像形成装置に用いられるレーザダイオード（ＬＤ）や半導体レーザと呼ばれる光源は、初期化動作により光源の特性を検出し、高精度の光量制御を行っている。この光源の初期化は制御信号により開始され、同期検知信号により時間管理される。同期検知信号は、同期検知センサ等の同期検知素子により生成され、光源１つにつき１つの同期検知素子で制御する方式が通常である。この場合、光源の数だけ同期検知素子が必要となり（例えば、４つの光源に対し、４つの同期検知素子が必要となり）、部品点数が多くなるため、高コストなものとなる。従って、低コスト化のため１つの同期検知素子で複数の光源を制御する（例えば、２つの光源に対し、１つの同期検知素子）方式が知られている。
【発明の概要】
【発明が解決しようとする課題】
【０００３】
ところで、更に複数のアレイ光源に対して１つの同期検知素子により、光源の初期化の制御を行うと、初期化を行う光源の他、同期を共有している他の光源についても初期化が行われてしまい、光源となるＬＤの正しい特性検出を行うことができない場合がある。
【０００４】
このため、安価な構成で複数のアレイ光源の初期化を行うことのできる光ビーム走査装置が求められている。
【課題を解決するための手段】
【０００５】
本実施の形態の一観点によれば、複数の発光部と１つの受光部とを備えた第１のアレイ光源と、複数の発光部と１つの受光部とを備えた第２のアレイ光源と、前記第１のアレイ光源における各々の発光部の発光を制御する第１の光源制御部と、前記第２のアレイ光源における各々の発光部の発光を制御する第２の光源制御部と、前記第１の光源制御部及び前記第２の光源制御部を制御する書込制御部と、前記第１のアレイ光源の各々の発光部及び前記第２のアレイ光源の各々の発光部より出射された光の向きを偏向する偏向部と、前記偏向部において偏向された光が入射することにより、同期検知信号を発生させる同期検知素子と、を有し、前記第１の光源制御部及び第２の光源制御部には、前記同期検知信号に基づき生成された各々の発光部に対応するラインＡＰＣ信号と、各々の発光部を初期化するための初期化信号と、が含まれている各々の発光部に対応するＡＰＣ信号が各々入力されており、前記第１のアレイ光源における各々の発光部の初期化を行った後、前記第２のアレイ光源における各々の発光部の初期化を行うものであって、前記第１のアレイ光源における各々の発光部の初期化を行っている間には、前記第２の光源制御部には、前記第２のアレイ光源における各々の発光部を発光させない信号が入力されており、各々の前記ラインＡＰＣ信号及び前記初期化信号は、前記各々の発光部に対応して設けられた各々の論理素子に入力されており、前記ＡＰＣ信号は、前記ラインＡＰＣ信号と前記初期化信号とを合わせた信号であって、前記第１のアレイ光源における各々の発光部の初期化を行っている間には、前記第２のアレイ光源における各々の発光部に対応する論理素子には、前記ラインＡＰＣ信号に代えて、前記第２のアレイ光源における各々の発光部を発光させない信号が入力されていることを特徴とする。
【発明の効果】
【０００６】
開示の光ビーム走査装置によれば、安価な構成で複数のアレイ光源の初期化を行うことができる。
【図面の簡単な説明】
【０００７】
【図１】本実施の形態における画像形成装置の構造図
【図２】本実施の形態における光ビーム走査装置の説明図
【図３】同期検知信号を共有しない場合の光書込駆動部の構造図
【図４】同期検知信号を共有しない場合の光源の初期化を説明するタイミングチャート
【図５】同期検知信号を共有する場合の光書込駆動部の構造図
【図６】同期検知信号を共有する場合の光源の初期化を説明するタイミングチャート
【図７】本実施の形態における同期検知信号を共有する場合の光書込駆動部の構造図（１）
【図８】本実施の形態における同期検知信号を共有する場合の光源の初期化を説明するタイミングチャート（１）
【図９】本実施の形態における同期検知信号を共有する場合の光源の初期化を説明するタイミングチャート（２）
【図１０】本実施の形態における同期検知信号を共有する場合の光書込駆動部の構造図（２）
【発明を実施するための形態】
【０００８】
本発明を実施するための形態について、以下に説明する。尚、同じ部材等については、同一の符号を付して説明を省略する。
【０００９】
（画像形成装置）
図１に基づき、本実施の形態における光ビーム走査装置が用いられる画像形成装置について説明する。図１は、本実施の形態における光ビーム走査装置が用いられる画像形成装置となるレーザプリンタの概略構成を示す。
【００１０】
図１に示されるように、このレーザプリンタは、画像形成部１０及び定着部９０等を有している。また、印刷データに必要な画像処理を行う画像処理部、印刷用紙を画像形成部１０に供給する給紙部、画像形成部１０で画像形成され、定着部９０で定着された印刷用紙を排紙トレイに排出する排紙部等を有していてもよい。更に、印刷データを外部装置（パーソナルコンピュータ、スキャナ等）から受信するデータ受信部、レーザプリンタの各種動作モード等を設定操作する操作キーや各種情報を表示するディスプレイ等を有する操作表示部等を有していてもよい。
【００１１】
画像形成部１０は、回転駆動される円柱状の感光体２０を有しており、感光体２０の周囲には、帯電部３０、光書込部４０、現像部５０、転写部６０、分離部７０、クリーニング部８０等が配置されている。尚、本実施の形態における光ビーム走査装置は、光書込部４０に相当する。
【００１２】
画像形成部１０においては、帯電部３０で感光体２０を一様に帯電させた後、光書込部４０から、画像データに基づいて変調されたレーザビームを感光体２０に照射することにより、感光体２０に静電潜像を形成する。次に、感光体２０に対して、現像部５０によりトナー（現像剤）を付着させて現像剤像としてのトナー画像を形成する。次に、転写部６０で、感光体２０上のトナー画像を、給紙部から給紙路１１を通して感光体２０と転写部６０との間に給紙される被記録媒体としての印刷用の記録紙に転写する。次に、分離部７０によって、トナー画像の転写された印刷用紙を感光体２０から分離して、定着部９０に搬送する。
【００１３】
定着部９０は、回転駆動され、所定の定着温度に加熱される加熱ローラ、加熱ローラに当接して加熱ローラとともに回転する加圧ローラ、加熱ローラを所定の定着温度に加熱する加熱ヒータ等を備えている。定着部９０では、トナー画像の転写された印刷用紙を加熱ローラと加圧ローラで加熱及び加圧しつつ搬送して、トナー画像を記録紙に定着させることで画像形成する。
【００１４】
また、画像形成部１０では、トナー画像の転写の完了した感光体２０をクリーニング部８０で除電して残留トナーをクリーニングした後、帯電部３０で一様に帯電させて、再度、画像形成を行う。
【００１５】
（光ビーム走査装置）
次に、図２に基づき本実施の形態における光ビーム走査装置について説明する。図２において、破線の矢印は、光ビームであるレーザビームを示す。
【００１６】
光書込部４０は、光書込駆動部１１０、偏向部となるポリゴンミラー１５０等を有している。偏向部となるポリゴンミラー１５０は、レーザプリンタの画像密度に応じた角速度で回転し、光源から出射されたレーザ光を偏向する。光書込駆動部１１０は、レーザビームを出射する複数のＬＤ（レーザダイオード）を有する光源部２００、光源部２００等の制御を行う光走査制御部１２０、同期検知素子１３０、ｆθレンズ、反射ミラー及び同期反射ミラー等を有している。
【００１７】
ポリゴンミラー１５０は、複数面、例えば、６面に鏡が形成されており、光源部２００におけるＬＤから出射されたレーザビームは、回転しているポリゴンミラー１５０において反射され、ｆθレンズを透過して、反射ミラーで反射され、感光体２０上で結像する。
【００１８】
ポリゴンミラー１５０が回転することにより、ポリゴンミラー１５０の反射ミラーにおいて反射されるレーザビームの方向は、矢印Ａに示す方向に移動するため、感光体２０上の結像位置も矢印Ａに示す方向に移動する。矢印Ａに示す方向は、円筒形の形状で形成されている感光体２０の円筒の母線の方向であり、画像の主走査方向である。
【００１９】
光源部２００より出射され、ｆθレンズを透過したレーザビームは、感光体２０のレーザビームの走査線上であって、感光体２０の画像形成領域から外れた位置に近接して配置された同期反射ミラーにも入射する。同期反射ミラーに入射したレーザビームは、同期検知素子１３０に向けて反射され、同期検知素子１３０に入射する。
【００２０】
同期検知素子１３０は、例えば、フォトダイオード等を有しており、レーザビームが入射すると、パルス出力である同期検知信号を生成する。生成された同期検知信号は、光走査制御部１２０に送られ、光走査制御部１２０は、この同期検知信号に基づいて、感光体２０上に画像を書き込む期間となる有効走査期間を設定する。尚、光走査制御部１２０により、光源部２００及びポリゴンミラー１５０等の制御がなされる。
【００２１】
本実施の形態においては、光源部２００には、第１のアレイ光源２１０及び第２のアレイ光源２２０を有している。第１のアレイ光源２１０には、複数の発光部が設けられており、第２のアレイ光源２２０には、複数の発光部が設けられており、各々の発光部よりレーザ光が出射される。
【００２２】
（同期検知信号を共有しない書込制御）
ここで、同期検知信号を共有しない場合の書込制御について図３及び図４に基づき説明する。図３は、同期検知信号を共有しない場合における光書込駆動部の構成を示す。
【００２３】
同期検知信号を共有しない書込制御を行う場合の光書込駆動部には、同期検知信号を生成するための同期検知素子が複数設けられている。具体的には、図３に示される光書込駆動部には、第１のアレイ光源２１０、第２のアレイ光源２２０、第１の同期検知素子１３１、第２の同期検知素子１３２、第１の光源制御部２３１、第２の光源制御部２３２、書込制御部２４０等を有している。尚、図３に示される光書込駆動部では、第１の光源制御部２３１、第２の光源制御部２３２、書込制御部２４０により、１点鎖線で示される光走査制御部が形成される。
【００２４】
図３に示される光書込駆動部は、光源制御基板３１０と書込制御基板３２０の２枚の基板により形成されており、光源制御基板３１０と書込制御基板３２０とは、ハーネス等の接続部品により接続されている。光源制御基板３１０には、第１のアレイ光源２１０、第２のアレイ光源２２０、第１の同期検知素子１３１、第２の同期検知素子１３２、第１の光源制御部２３１、第２の光源制御部２３２等が設けられている。また、書込制御基板３２０には、書込制御部２４０等が設けられている。尚、この光書込駆動部には、ハーネス等の接続部品により、電源及びＧＮＤ（接地電位）が接続されている。
【００２５】
第１の同期検知素子１３１は、第１のアレイ光源２１０から出射されたレーザ光が、回転しているポリゴンミラー１５０により反射されて入射する位置に設置されている。第２の同期検知素子１３２は、第２のアレイ光源２２０から出射されたレーザ光が、回転しているポリゴンミラー１５０により反射されて入射する位置に設置されている。
【００２６】
第１のアレイ光源２１０は、第１の発光部（ＬＤ１−１）２１１、第２の発光部（ＬＤ１−２）２１２、受光部（ＰＤ１）２１３等を有している。第２のアレイ光源２２０は、第１の発光部（ＬＤ２−１）２２１、第２の発光部（ＬＤ２−２）２２２、受光部（ＰＤ２）２２３等を有している。
【００２７】
第１のアレイ光源２１０において、第１の発光部２１１及び第２の発光部２１２は、各々独立にレーザ光を出射する。第１の発光部２１１及び第２の発光部２１２より出射されたレーザ光の一部が、受光部２１３に入射することにより、出射されたレーザ光の光量が検出される。同様に、第２のアレイ光源２２０において、第１の発光部２２１及び第２の発光部２２２は、各々独立にレーザ光を出射する。第１の発光部２２１及び第２の発光部２２２より出射されたレーザ光の一部が、受光部２２３に入射することにより、出射されたレーザ光の光量が検出される。
【００２８】
第１のアレイ光源２１０は、第１の光源制御部２３１と接続されている。第１の光源制御部２３１は、第１のアレイ光源２１０における第１の発光部２１１及び第２の発光部２１２の発光を制御するとともに、受光部２１３からの信号が入力される。第２のアレイ光源２２０は、第２の光源制御部２３２と接続されている。第２の光源制御部２３２は、第２のアレイ光源２２０における第１の発光部２２１及び第２の発光部２２２の発光を制御するとともに、受光部２２３からの信号が入力される。
【００２９】
書込制御部２４０には、発光部に数に対応した数の初期化制御部、ラインＡＰＣ制御部、論理素子であるＡＮＤ回路が設けられている。尚、初期化制御部から出力される初期化信号、及び、ラインＡＰＣ制御部から出力されるラインＡＰＣ信号は、Ｌｏｗ−Ａｃｔｉｖｅ（Ｌアクティブ）であり、Ｌ状態で動作する。よって、Ｌ状態でアサートされ、Ｈ状態でネゲートされる。
【００３０】
具体的には、書込制御部２４０には、第１のアレイ光源２１０の第１の発光部２１１に対応した初期化制御部２５１、ラインＡＰＣ（automactic power control）制御部２６１、ＡＮＤ回路２７１が設けられている。尚、ＡＮＤ回路は入力した信号の論理積（ＡＮＤ）をとる回路である。初期化制御部２５１は、第１のアレイ光源２１０の第１の発光部２１１の初期化のための初期化信号１−１を出力し、ラインＡＰＣ制御部２６１は、第１のアレイ光源２１０の第１の発光部２１１のＡＰＣ制御のためのラインＡＰＣ信号１−１を出力する。ＡＮＤ回路２７１には、初期化制御部２５１から出力された初期化信号１−１、及び、ラインＡＰＣ制御部２６１から出力されたラインＡＰＣ信号１−１が入力しており、ＡＮＤ回路２７１において、これらのＡＮＤがとられ、ＡＰＣ信号１−１として出力される。
【００３１】
また、書込制御部２４０には、第１のアレイ光源２１０の第２の発光部２１２に対応した初期化制御部２５２、ラインＡＰＣ制御部２６２、ＡＮＤ回路２７２が設けられている。初期化制御部２５２は、第１のアレイ光源２１０の第２の発光部２１２の初期化のための初期化信号１−２を出力し、ラインＡＰＣ制御部２６２は、第１のアレイ光源２１０の第２の発光部２１２のＡＰＣ制御のためのラインＡＰＣ信号１−２を出力する。ＡＮＤ回路２７２には、初期化制御部２５２から出力された初期化信号１−２、及び、ラインＡＰＣ制御部２６２から出力されたラインＡＰＣ信号１−２が入力しており、ＡＮＤ回路２７２において、これらのＡＮＤがとられ、ＡＰＣ信号１−２として出力される。
【００３２】
また、書込制御部２４０には、第２のアレイ光源２２０の第１の発光部２２１に対応した初期化制御部２５３、ラインＡＰＣ制御部２６３、ＡＮＤ回路２７３が設けられている。初期化制御部２５３は、第２のアレイ光源２２０の第１の発光部２２１の初期化のための初期化信号２−１を出力し、ラインＡＰＣ制御部２６３は、第２のアレイ光源２２０の第１の発光部２２１のＡＰＣ制御のためのラインＡＰＣ信号２−１を出力する。ＡＮＤ回路２７３には、初期化制御部２５３から出力された初期化信号２−１、及び、ラインＡＰＣ制御部２６３から出力されたラインＡＰＣ信号２−１が入力しており、ＡＮＤ回路２７３において、これらのＡＮＤがとられ、ＡＰＣ信号２−１として出力される。
【００３３】
また、書込制御部２４０には、第２のアレイ光源２２０の第２の発光部２２２に対応した初期化制御部２５４、ラインＡＰＣ制御部２６４、ＡＮＤ回路２７４が設けられている。初期化制御部２５４は、第２のアレイ光源２２０の第２の発光部２２２の初期化のための初期化信号２−２を出力し、ラインＡＰＣ制御部２６４は、第２のアレイ光源２２０の第２の発光部２２２のＡＰＣ制御のためのラインＡＰＣ信号２−２を出力する。ＡＮＤ回路２７４には、初期化制御部２５４から出力された初期化信号２−２、及び、ラインＡＰＣ制御部２６４から出力されたラインＡＰＣ信号２−２が入力しており、ＡＮＤ回路２７４において、これらのＡＮＤがとられ、ＡＰＣ信号２−２として出力される。
【００３４】
第１の光源制御部２３１は、書込制御部２４０と接続されており、書込制御部２４０から出力されたＡＰＣ信号１−１、ＡＰＣ信号１−２、ＬＤ点灯信号１−１、ＬＤ点灯信号１−２は、第１の光源制御部２３１に入力される。また、第１の同期検知素子１３１は、回転しているポリゴンミラー１５０の鏡面において反射されたレーザ光が入射すると、同期検知信号１を出力し、出力された同期検知信号１は、書込制御部２４０に入力される。第１の同期検知素子１３１は、第１のアレイ光源２１０に対応しており、第１のアレイ光源２１０の第１の発光部２１１及び第２の発光部２１２より出射されたレーザ光が、ポリゴンミラー１５０の鏡面において反射されて、第１の同期検知素子１３１に入射する。
【００３５】
第２の光源制御部２３２は、書込制御部２４０と接続されており、書込制御部２４０から出力されたＡＰＣ信号２−１、ＡＰＣ信号２−２、ＬＤ点灯信号２−１、ＬＤ点灯信号２−２は、第２の光源制御部２３２に入力される。また、第２の同期検知素子１３２は、回転しているポリゴンミラー１５０の鏡面において反射されたレーザ光が入射すると、同期検知信号２を出力し、出力された同期検知信号２は、書込制御部２４０に入力される。第２の同期検知素子１３２は、第２のアレイ光源２２０に対応しており、第２のアレイ光源２２０の第１の発光部２２１及び第２の発光部２２２より出射されたレーザ光が、ポリゴンミラー１５０の鏡面において反射されて、第２の同期検知素子１３２に入射する。
【００３６】
第１の光源制御部２３１は、第１のアレイ光源２１０の第１の発光部２１１の点灯のタイミングをＬＤ点灯信号１−１により制御するとともに、ＡＰＣ信号１−１により、ラインＡＰＣ点灯のタイミング及び初期化点灯のタイミングを制御する。また、第１のアレイ光源２１０の第２の発光部２１２の点灯のタイミングをＬＤ点灯信号１−２により制御するとともに、ＡＰＣ信号１−２により、ラインＡＰＣ点灯のタイミング及び初期化点灯のタイミングを制御する。
【００３７】
第２の光源制御部２３２は、第２のアレイ光源２２０の第１の発光部２２１の点灯のタイミングをＬＤ点灯信号２−１により制御するとともに、ＡＰＣ信号２−１により、ラインＡＰＣ点灯のタイミング及び初期化点灯のタイミングを制御する。また、第２のアレイ光源２２０の第２の発光部２２２の点灯のタイミングをＬＤ点灯信号２−２により制御するとともに、ＡＰＣ信号２−２により、ラインＡＰＣ点灯のタイミング及び初期化点灯のタイミングを制御する。
【００３８】
初期化信号は、ラインＡＰＣ信号等の他の制御信号と比較して、使用される頻度が低いため、ＡＮＤ回路において初期化信号とラインＡＰＣ信号とのＡＮＤをとりＡＰＣ信号として出力することにより、信号線を減らしコストダウンを図っている。
【００３９】
次に、図４に基づき、図３に示される同期検知信号を共有しない光書込駆動部の動作について説明する。
【００４０】
光走査制御部に電源が入ることにより、消灯状態の第１のアレイ光源２１０及び第２のアレイ光源２２０が制御されるが、最初に、第１のアレイ光源２１０の第１の発光部２１１の初期化を行う。第１のアレイ光源２１０の第１の発光部２１１の初期化は、初期化信号１−１により、第１のアレイ光源２１０の第１の発光部２１１を光波形１−１に示されるように点灯させることにより行う。
【００４１】
具体的には、初期化信号１−１及びラインＡＰＣ信号１−１は、Ｌｏｗ−Ａｃｔｉｖｅの信号であり、Ｌ状態で第１のアレイ光源２１０の第１の発光部２１１が点灯する。初期化信号１−１とラインＡＰＣ信号１−１は、ＡＮＤ回路２７１によりＡＮＤがとられＡＰＣ信号１−１として出力されるが、初期化信号１−１がＬ状態である場合、ＡＮＤ回路２７１より出力されるＡＰＣ信号１−１もＬ状態となる。これにより、第１のアレイ光源２１０の第１の発光部２１１が点灯し、第１のアレイ光源２１０の第１の発光部２１１よりレーザ光が出射される。この状態においては、ポリゴンミラー１５０が回転しており、第１のアレイ光源２１０の第１の発光部２１１より出射されたレーザ光は、ポリゴンミラー１５０の回転に対応したタイミングで、第１の同期検知素子１３１に入射する。第１の同期検知素子１３１では、レーザ光が入射する度に、同期検知信号１が生成され、書込制御部２４０に送信される。同期検知信号１もＬｏｗ−Ａｃｔｉｖｅの信号であり、第１のアレイ光源２１０の第１の発光部２１１を点灯させた後、書込制御部２４０に同期検知信号１が所定の回数（例えば、図４に示すように、３回）入力すると、初期化信号１−１がＨ状態となる。これに伴い、ＡＮＤ回路２７１から出力されるＡＰＣ信号１−１もＨ状態となり、第１のアレイ光源２１０の第１の発光部２１１が消灯する。
【００４２】
ラインＡＰＣ信号１−１及びラインＡＰＣ信号１−２は、書込制御部２４０に入力している同期検知信号１に基づきラインＡＰＣ制御部２６１及びラインＡＰＣ制御部２６２において生成される。書込制御部２４０から出力されたＡＰＣ信号１−１及びＡＰＣ信号１−２は、第１の光源制御部２３１に入力しているが、第１の光源制御部２３１では、いずれか一方の発光部が初期化を行っている間は、他方の発光部のＡＰＣ信号を受け付けない制御がなされる。具体的には、第１の光源制御部２３１では、第１のアレイ光源２１０の第１の発光部２１１の初期化を行っている間は、ラインＡＰＣ信号１−２を受け付けない制御がなされる。これにより、第１のアレイ光源２１０の第１の発光部２１１のみを点灯させ、第１のアレイ光源２１０の第２の発光部２１２は点灯していない状態が保たれるため、第１のアレイ光源２１０の第１の発光部２１１の初期化を行うことができる。
【００４３】
尚、第２の光源制御部２３２においても、第２のアレイ光源２２０の第１の発光部２２１と第２の発光部２２２について同様の制御がなされる。具体的には、第２のアレイ光源２２０の第１の発光部２２１または第２の発光部２２２より出射されたレーザ光は、ポリゴンミラー１５０において反射され、第２の同期検知素子１３２に入射することにより、同期検知信号２が生成される。このように生成された同期検知信号２は、書込制御部２４０に入力され、書込制御部２４０においては、同期検知信号２に基づき、ラインＡＰＣ信号２−１及びラインＡＰＣ信号２−２が生成される。
【００４４】
本実施の形態において、初期化とは、アレイ光源における発光部を発光させて、受光部において検出された情報に基づき、その発光部において出射されるレーザ光の発振しきい値及び流れる電流と光量との関係等の情報を得ることを意味する。初期化において得られた情報は、光ビーム走査装置となる光書込部等に設けられた記憶部等に記憶される。この発光部のラインＡＰＣ動作をさせる際には、初期化において得られた情報に基づき、発光部より出射されるレーザ光の光量の均一化等がなされる。
【００４５】
第１のアレイ光源２１０の第１の発光部２１１の初期化が終了した後、同様に、第１のアレイ光源２１０の第２の発光部２１２の初期化を行う。第１のアレイ光源２１０の第２の発光部２１２の初期化は、初期化信号１−２により、第１のアレイ光源２１０の第２の発光部２１２を光波形１−２に示されるように点灯させることにより行う。
【００４６】
同様に、第１のアレイ光源２１０の第２の発光部２１２の初期化が終了した後に、第２のアレイ光源２２０の第１の発光部２２１の初期化を行い、第１の発光部２２１の初期化が終了した後、第２のアレイ光源２２０の第２の発光部２２２の初期化を行う。図４では、第２のアレイ光源２２０の第１の発光部２２１における光波形は光波形２−１で示され、第２のアレイ光源２２０の第２の発光部２２２における光波形は光波形２−２で示される。
【００４７】
図３に示される光書込駆動部においては、第１のアレイ光源２１０に対応する第１の同期検知素子１３１と、第２のアレイ光源２２０に対応する第２の同期検知素子１３２が設けられている。よって、この光書込駆動部では、第１のアレイ光源２１０と第２のアレイ光源２２０との間では、同期検知信号を共有していない。
【００４８】
（同期検知信号を共有する書込制御）
ところで、光走査装置では一層の低コスト化が求められており、図３に示される光書込駆動部における２つの同期検知素子を１つにすることができれば、低コストにすることができる。同期検知素子を１つにした場合には、第１のアレイ光源２１０と第２のアレイ光源２２０との間では、同期検知信号が共有される。
【００４９】
図５は、１つの同期検知素子１３０を用いた構造の光書込駆動部を示す。図５に示される光書込駆動部は、光源制御基板３１１と書込制御基板３２０の２枚の基板により形成されており、光源制御基板３１１と書込制御基板３２０とは、ハーネス等の接続部品により接続されている。光源制御基板３１１には、第１のアレイ光源２１０、第２のアレイ光源２２０、同期検知素子１３０、第１の光源制御部２３１、第２の光源制御部２３２等が設けられている。また、書込制御基板３２０には、書込制御部２４０等が設けられている。尚、この光書込駆動部には、ハーネス等の接続部品により、電源及びＧＮＤが接続されている。
【００５０】
同期検知素子１３０は、第１のアレイ光源２１０から出射されたレーザ光、及び、第２のアレイ光源２２０から出射されたレーザ光が、回転しているポリゴンミラー１５０により反射されて入射する位置に設置されている。
【００５１】
次に、図６に基づき、図５に示される同期検知信号を共有する光書込駆動部の動作について説明する。
【００５２】
光走査制御部に電源が入ることにより、消灯状態の第１のアレイ光源２１０及び第２のアレイ光源２２０が制御されるが、最初に、第１のアレイ光源２１０の第１の発光部２１１の初期化を行う。第１のアレイ光源２１０の第１の発光部２１１の初期化は、初期化信号１−１により、第１のアレイ光源２１０の第１の発光部２１１を光波形１−１に示されるように点灯させることにより行う。
【００５３】
具体的には、初期化信号１−１及びラインＡＰＣ信号１−１は、Ｌｏｗ−Ａｃｔｉｖｅの信号であり、Ｌ状態で第１のアレイ光源２１０の第１の発光部２１１が点灯する。初期化信号１−１とラインＡＰＣ信号１−１は、ＡＮＤ回路２７１によりＡＮＤがとられＡＰＣ信号１−１として出力されるが、初期化信号１−１がＬ状態である場合、ＡＮＤ回路２７１より出力されるＡＰＣ信号１−１もＬ状態となる。これにより、第１のアレイ光源２１０の第１の発光部２１１が点灯し、第１のアレイ光源２１０の第１の発光部２１１よりレーザ光が出射される。この状態においては、ポリゴンミラー１５０が回転しており、第１のアレイ光源２１０の第１の発光部２１１より出射されたレーザ光は、ポリゴンミラー１５０の回転に対応したタイミングで、同期検知素子１３０に入射する。同期検知素子１３０では、レーザ光が入射する度に、同期検知信号が生成され、書込制御部２４０に送信される。同期検知信号もＬｏｗ−Ａｃｔｉｖｅの信号であり、第１のアレイ光源２１０の第１の発光部２１１を点灯させた後、書込制御部２４０に同期検知信号が所定の回数（例えば、図６に示すように、３回）入力すると、初期化信号１−１がＨ状態となる。これに伴い、ＡＮＤ回路２７１から出力されるＡＰＣ信号１−１もＨ状態となり、第１のアレイ光源２１０の第１の発光部２１１が消灯する。
【００５４】
ラインＡＰＣ信号１−１及びラインＡＰＣ信号１−２は、書込制御部２４０に入力している同期検知信号に基づきラインＡＰＣ制御部２６１及びラインＡＰＣ制御部２６２において生成される。書込制御部２４０から出力されたＡＰＣ信号１−１及びＡＰＣ信号１−２は、第１の光源制御部２３１に入力しているが、第１の光源制御部２３１では、いずれか一方の発光部が初期化を行っている間は、他方の発光部のＡＰＣ信号を受け付けない制御がなされる。
【００５５】
ところで、図５に示される光書込駆動部においては、同期検知素子１３０は１つであり同期検知信号が共有されている。このため、初期化のため第１のアレイ光源２１０の第１の発光部２１１より出射されたレーザ光は、回転しているポリゴンミラー１５０において反射され、同期検知素子１３０に入射する。同期検知素子１３０では、同期検知素子１３０に入射したレーザ光により、同期検知信号が生成され書込制御部２４０に入力する。書込制御部２４０では、入力した同期検知信号に基づき、ラインＡＰＣ制御部２６１においてラインＡＰＣ信号１−１を生成し、ラインＡＰＣ制御部２６２においてラインＡＰＣ信号１−２を生成する。更に、ラインＡＰＣ制御部２６３においてラインＡＰＣ信号２−１を生成し、ラインＡＰＣ制御部２６４においてラインＡＰＣ信号２−２を生成する。
【００５６】
ラインＡＰＣ信号１−１及びラインＡＰＣ信号１−２の他、ラインＡＰＣ信号２−１及びラインＡＰＣ信号２−２を生成するのは、１つの同期検知素子１３０からの同期検知信号を第１のアレイ光源２１０と第２のアレイ光源２２０とで共有しているからである。
【００５７】
このように、第１のアレイ光源２１０の第１の発光部２１１を初期化している状態において、ラインＡＰＣ信号２−１及びラインＡＰＣ信号２−２が生成されると、第２のアレイ光源２２０の第１の発光部２２１及び第２の発光部２２２も初期化点灯してしまう。即ち、第２のアレイ光源２２０の第１の発光部２２１及び第２の発光部２２２を初期化するための初期化信号２−１、初期化信号２−２よりも早く、ＡＰＣ信号２−１及びＡＰＣ信号２−２が、第２の光源制御部２３２に入力される。第１の光源制御部２３１及び第２の光源制御部２３２は、電源が入れられた直後において、最初のＡＰＣ信号がＬ状態となったタイミングで初期化を開始する。従って、第２の光源制御部２３２にＡＰＣ信号２−１及びＡＰＣ信号２−２が入力すると、第２のアレイ光源２２０における第１の発光部２２１及び第２の発光部２２２の双方が点灯する。第２のアレイ光源２２０では、受光部２２３が１つであるため、受光部２２３には、第２のアレイ光源２２０の第１の発光部２２１より出射されたレーザ光と第２の発光部２２２より出射されたレーザ光の双方が入射する。１つの受光部２２３では、同時に入射した第２のアレイ光源２２０の第１の発光部２２１から出射されたレーザ光と第２の発光部２２２から出射されたレーザ光の光量を分離することができない。よって、第２のアレイ光源２２０の第１の発光部２２１及び第２の発光部２２２において、正しい初期化を行うことができない。
【００５８】
以上のように、単に同期検知素子を１つにした場合、第２のアレイ光源２２０の第１の発光部２２１及び第２の発光部２２２において、正しい初期化を行うことができなくなってしまう。
【００５９】
（本実施の形態における同期検知信号を共有する書込制御）
次に、本実施の形態における同期検知信号を共有する書込制御について図７及び図８等に基づき説明する。尚、この書込制御は、書込制御部２４１において行われる。
【００６０】
図７は、本実施の形態における光ビーム走査装置の光書込駆動部１１０を示す。この光書込駆動部１１０は、１つの同期検知素子１３０を用いて、同期検知信号を共有する書込制御を行うものである。図７に示される光書込駆動部１１０は、光源制御基板３１１と書込制御基板３２１の２枚の基板により形成されており、光源制御基板３１１と書込制御基板３２１とは、ハーネス等の接続部品により接続されている。光源制御基板３１１には、第１のアレイ光源２１０、第２のアレイ光源２２０、同期検知素子１３０、第１の光源制御部２３１、第２の光源制御部２３２等が設けられている。また、書込制御基板３２１には、書込制御部２４１等が設けられている。尚、光書込駆動部１１０には、ハーネス等の接続部品により、電源及びＧＮＤが接続されている。
【００６１】
同期検知素子１３０は、第１のアレイ光源２１０から出射されたレーザ光、及び、第２のアレイ光源２２０から出射されたレーザ光が、回転しているポリゴンミラー１５０により反射されて入射する位置に設置されている。
【００６２】
書込制御部２４１には、発光部に数に対応した数の初期化制御部、ラインＡＰＣ制御部、ＡＮＤ回路、信号制御部が設けられている。
【００６３】
具体的には、書込制御部２４１には、第１のアレイ光源２１０の第１の発光部２１１に対応した初期化制御部２５１、ラインＡＰＣ制御部２６１、ＡＮＤ回路２７１、信号制御部２８１が設けられている。初期化制御部２５１は、第１のアレイ光源２１０の第１の発光部２１１の初期化のための初期化信号１−１を出力し、ラインＡＰＣ制御部２６１は、第１のアレイ光源２１０の第１の発光部２１１のＡＰＣ制御のためのラインＡＰＣ信号１−１を出力する。ラインＡＰＣ制御部２６１の出力は信号制御部２８１に入力しており、ＡＮＤ回路２７１には、初期化制御部２５１から出力された初期化信号１−１、及び、信号制御部２８１からの出力が入力している。ＡＮＤ回路２７１では、これらのＡＮＤがとられ、ＡＰＣ信号１−１として出力される。信号制御部２８１は、スイッチ等であり、接点を切り替えることにより、ラインＡＰＣ制御部２６１から出力されたラインＡＰＣ信号１−１をＡＮＤ回路２７１に入力させる場合と、ＡＮＤ回路２７１にＨ状態の信号を入力させる場合とを選択することができる。
【００６４】
また、書込制御部２４１には、第１のアレイ光源２１０の第２の発光部２１２に対応した初期化制御部２５２、ラインＡＰＣ制御部２６２、ＡＮＤ回路２７２、信号制御部２８２が設けられている。初期化制御部２５２は、第１のアレイ光源２１０の第２の発光部２１２の初期化のための初期化信号１−２を出力し、ラインＡＰＣ制御部２６２は、第１のアレイ光源２１０の第２の発光部２１２のＡＰＣ制御のためのラインＡＰＣ信号１−２を出力する。ラインＡＰＣ制御部２６２の出力は信号制御部２８２に入力しており、ＡＮＤ回路２７２には、初期化制御部２５２から出力された初期化信号１−２、及び、信号制御部２８２からの出力が入力している。ＡＮＤ回路２７２では、これらのＡＮＤがとられ、ＡＰＣ信号１−２として出力される。信号制御部２８２は、スイッチ等であり、接点を切り替えることにより、ラインＡＰＣ制御部２６２から出力されたラインＡＰＣ信号１−２をＡＮＤ回路２７２に入力させる場合と、ＡＮＤ回路２７２にＨ状態の信号を入力させる場合とを選択することができる。
【００６５】
また、書込制御部２４１には、第２のアレイ光源２２０の第１の発光部２２１に対応した初期化制御部２５３、ラインＡＰＣ制御部２６３、ＡＮＤ回路２７３、信号制御部２８３が設けられている。初期化制御部２５３は、第２のアレイ光源２２０の第１の発光部２２１の初期化のための初期化信号２−１を出力し、ラインＡＰＣ制御部２６３は、第２のアレイ光源２２０の第１の発光部２２１のＡＰＣ制御のためのラインＡＰＣ信号２−１を出力する。ラインＡＰＣ制御部２６３の出力は信号制御部２８３に入力しており、ＡＮＤ回路２７３には、初期化制御部２５３から出力された初期化信号２−１、及び、信号制御部２８３からの出力が入力している。ＡＮＤ回路２７３では、これらのＡＮＤがとられ、ＡＰＣ信号２−１として出力される。信号制御部２８３は、スイッチ等であり、接点を切り替えることにより、ラインＡＰＣ制御部２６３から出力されたラインＡＰＣ信号２−１をＡＮＤ回路２７３に入力させる場合と、ＡＮＤ回路２７３にＨ状態の信号を入力させる場合とを選択することができる。
【００６６】
また、書込制御部２４１には、第２のアレイ光源２２０の第２の発光部２２２に対応した初期化制御部２５４、ラインＡＰＣ制御部２６４、ＡＮＤ回路２７４、信号制御部２８４が設けられている。初期化制御部２５４は、第２のアレイ光源２２０の第２の発光部２２２の初期化のための初期化信号２−２を出力し、ラインＡＰＣ制御部２６４は、第２のアレイ光源２２０の第２の発光部２２２のＡＰＣ制御のためのラインＡＰＣ信号２−２を出力する。ラインＡＰＣ制御部２６４の出力は信号制御部２８４に入力しており、ＡＮＤ回路２７４には、初期化制御部２５４から出力された初期化信号２−２、及び、信号制御部２８４からの出力が入力している。ＡＮＤ回路２７４では、これらのＡＮＤがとられ、ＡＰＣ信号２−２として出力される。信号制御部２８４は、スイッチ等であり、接点を切り替えることにより、ラインＡＰＣ制御部２６４から出力されたラインＡＰＣ信号２−２をＡＮＤ回路２７４に入力させる場合と、ＡＮＤ回路２７４にＨ状態の信号を入力させる場合とを選択することができる。
【００６７】
第１の光源制御部２３１は書込制御部２４１と接続されており、書込制御部２４１から出力されたＡＰＣ信号１−１、ＡＰＣ信号１−２、ＬＤ点灯信号１−１、ＬＤ点灯信号１−２は、第１の光源制御部２３１に入力される。また、第２の光源制御部２３２は書込制御部２４１と接続されており、書込制御部２４１から出力されたＡＰＣ信号２−１、ＡＰＣ信号２−２、ＬＤ点灯信号２−１、ＬＤ点灯信号２−２は、第２の光源制御部２３２に入力される。
【００６８】
また、同期検知素子１３０は、回転しているポリゴンミラー１５０の鏡面において反射されたレーザ光が入射すると、同期検知信号を出力し、出力された同期検知信号は、書込制御部２４１に入力される。具体的には、同期検知素子１３０には、第１のアレイ光源２１０の第１の発光部２１１及び第２の発光部２１２より出射されたレーザ光が、ポリゴンミラー１５０の鏡面において反射されて入射する。また、同期検知素子１３０には、第２のアレイ光源２２０の第１の発光部２２１及び第２の発光部２２２より出射されたレーザ光が、ポリゴンミラー１５０の鏡面において反射されて入射する。
【００６９】
次に、図８に基づき、図７に示される本実施の形態における同期検知信号を共有する光書込駆動部１１０の動作について説明する。
【００７０】
光走査制御部に電源が入ることにより、消灯状態の第１のアレイ光源２１０及び第２のアレイ光源２２０が制御されるが、最初に、第１のアレイ光源２１０の第１の発光部２１１の初期化を行う。第１のアレイ光源２１０の第１の発光部２１１の初期化は、初期化信号１−１により、第１のアレイ光源２１０の第１の発光部２１１を光波形１−１に示されるように点灯させることにより行う。
【００７１】
具体的には、初期化信号１−１及びラインＡＰＣ信号１−１は、Ｌｏｗ−Ａｃｔｉｖｅの信号であり、Ｌ状態で第１のアレイ光源２１０の第１の発光部２１１が点灯する。初期化信号１−１とラインＡＰＣ信号１−１は、ＡＮＤ回路２７１によりＡＮＤがとられＡＰＣ信号１−１として出力されるが、初期化信号１−１がＬ状態である場合、ＡＮＤ回路２７１より出力されるＡＰＣ信号１−１もＬ状態となる。これにより、第１のアレイ光源２１０の第１の発光部２１１が点灯し、第１のアレイ光源２１０の第１の発光部２１１よりレーザ光が出射される。この状態においては、ポリゴンミラー１５０が回転しており、第１のアレイ光源２１０の第１の発光部２１１より出射されたレーザ光は、ポリゴンミラー１５０の回転に対応したタイミングで、同期検知素子１３０に入射する。同期検知素子１３０では、レーザ光が入射する度に、同期検知信号が生成され、書込制御部２４１に送信される。同期検知信号もＬｏｗ−Ａｃｔｉｖｅの信号であり、第１のアレイ光源２１０の第１の発光部２１１を点灯させた後、書込制御部２４１に同期検知信号が所定の回数（例えば、図８に示すように、３回）入力すると、初期化信号１−１がＨ状態となる。これに伴い、ＡＮＤ回路２７１から出力されるＡＰＣ信号１−１もＨ状態となり、第１のアレイ光源２１０の第１の発光部２１１が消灯する。
【００７２】
本実施の形態においては、書込制御部２４１に入力している同期検知信号に基づき、ラインＡＰＣ信号１−１、ラインＡＰＣ信号１−２、ラインＡＰＣ信号２−１、ラインＡＰＣ信号２−２が生成される。具体的には、書込制御部２４１に入力している同期検知信号に基づき、ラインＡＰＣ信号１−１がラインＡＰＣ制御部２６１において生成され、ラインＡＰＣ信号１−２がラインＡＰＣ制御部２６２において生成される。同様に、書込制御部２４１に入力している同期検知信号に基づき、ラインＡＰＣ信号２−１がラインＡＰＣ制御部２６３において生成され、ラインＡＰＣ信号２−２がラインＡＰＣ制御部２６４において生成される。尚、図８及び後述する図９においては、ラインＡＰＣ信号２−１の破線はラインＡＰＣ制御部２６３からの出力を示し、実線はラインＡＰＣ制御部２６３に接続されている信号制御部２８３からの出力を示す。また、ラインＡＰＣ信号２−２の破線はラインＡＰＣ制御部２６４からの出力を示し、実線はラインＡＰＣ制御部２６４に接続されている信号制御部２８４からの出力を示す。
【００７３】
図８に示す場合においては、信号制御部２８１及び信号制御部２８２は、電源が入れられた当初より、信号制御部２８１ではラインＡＰＣ制御部２６１と接続されており、信号制御部２８２ではラインＡＰＣ制御部２６２と接続されている。従って、ラインＡＰＣ制御部２６１より出力されたラインＡＰＣ信号１−１は、信号制御部２８１を介し、ＡＮＤ回路２７１に入力し、ラインＡＰＣ制御部２６２より出力されたラインＡＰＣ信号１−２は、信号制御部２８２を介し、ＡＮＤ回路２７２に入力する。
【００７４】
また、信号制御部２８３及び信号制御部２８４は、電源が入れられた当初から第２のアレイ光源２２０の第２の発光部２２２の初期化が完了するまで、Ｈ状態に接続される。第２のアレイ光源２２０の第２の発光部２２２の初期化が完了した後は、信号制御部２８３ではラインＡＰＣ制御部２６３と接続され、信号制御部２８４ではラインＡＰＣ制御部２６４と接続される。
【００７５】
よって、電源が入れられた当初から第２のアレイ光源２２０の第２の発光部２２２の初期化が完了するまでは、ＡＰＣ信号２−１に代えてＨ状態の信号がＡＮＤ回路２７３に入力され、ＡＰＣ信号２−２に代えてＨ状態の信号がＡＮＤ回路２７４に入力される。また、第２のアレイ光源２２０の第２の発光部２２２の初期化が完了した後は、ラインＡＰＣ制御部２６３より出力されたラインＡＰＣ信号２−１が、信号制御部２８３を介し、ＡＮＤ回路２７３に入力される。同様に、ラインＡＰＣ制御部２６４より出力されたラインＡＰＣ信号２−２は、信号制御部２８４を介し、ＡＮＤ回路２７４に入力される。
【００７６】
書込制御部２４０から出力されたＡＰＣ信号１−１及びＡＰＣ信号１−２は、第１の光源制御部２３１に入力しているが、第１の光源制御部２３１では、いずれか一方の発光部が初期化を行っている間は、他方の発光部のＡＰＣ信号を受け付けない制御がなされる。具体的には、第１の光源制御部２３１では、第１のアレイ光源２１０の第１の発光部２１１の初期化を行っている間は、ラインＡＰＣ信号１−２を受け付けない制御がなされる。これにより、第１のアレイ光源２１０の第１の発光部２１１のみを点灯させ、第１のアレイ光源２１０の第２の発光部２１２は点灯していない状態が保たれ、第１のアレイ光源２１０の第１の発光部２１１の初期化を行うことができる。また、第２の光源制御部２３２においても、第２のアレイ光源２２０の第１の発光部２２１と第２の発光部２２２について同様の制御がなされる。
【００７７】
尚、第１のアレイ光源２１０の第１の発光部２１１の初期化点灯がなされている間においても、同期検知信号に基づき、ラインＡＰＣ信号２−１がラインＡＰＣ制御部２６３において生成され、ラインＡＰＣ信号２−２がラインＡＰＣ制御部２６４において生成される。しかしながら、この間、信号制御部２８３及び信号制御部２８４はＨ状態と接続されており、ＡＮＤ回路２７３には、ラインＡＰＣ信号２−１に代えてＨ状態が入力されており、ＡＮＤ回路２７４には、ラインＡＰＣ信号２−２に代えてＨ状態が入力されている。よって、初期化信号２−１が入力されるまでは、ＡＮＤ回路２７３から出力されるＡＰＣ信号２−１は、Ｈ状態のままであり、初期化信号２−２が入力されるまでは、ＡＮＤ回路２７４から出力されるＡＰＣ信号２−２は、Ｈ状態のままである。
【００７８】
従って、第１のアレイ光源２１０の第１の発光部２１１の初期化点灯がなされている間は、ＡＰＣ信号２−１及びＡＰＣ信号２−２は、Ｈ状態のままであり、第２のアレイ光源２２０の第１の発光部２２１及び第２の発光部２２２が初期化点灯することはない。
【００７９】
第１のアレイ光源２１０の第１の発光部２１１の初期化が終了した後、同様に、第１のアレイ光源２１０の第２の発光部２１２の初期化を行う。第１のアレイ光源２１０の第２の発光部２１２の初期化は、初期化信号１−２により、第１のアレイ光源２１０の第２の発光部２１２を光波形１−２に示されるように点灯させることにより行う。尚、第１のアレイ光源２１０の第２の発光部２１２の初期化点灯がなされている間は、同様に、ＡＰＣ信号２−１及びＡＰＣ信号２−２は、Ｈ状態のままであり、第２のアレイ光源２２０の第１の発光部２２１及び第２の発光部２２２が初期化点灯することはない。
【００８０】
第１のアレイ光源２１０の第２の発光部２１２の初期化が終了した後に、第２のアレイ光源２２０の第１の発光部２２１の初期化を行う。この際、ＡＮＤ回路２７３には、初期化制御部２５３から出力された初期化信号２−１と信号制御部２８３から出力されたＨ状態が入力しており、ＡＮＤ回路２７３からＡＰＣ信号２−１が出力される。第２のアレイ光源２２０の第１の発光部２２１においては、ＡＮＤ回路２７３から出力されたＡＰＣ信号２−１に基づき、光波形２−１で示されるような発光がなされ、第２のアレイ光源２２０の第１の発光部２２１の初期化が行われる。
【００８１】
次に、第２のアレイ光源２２０の第１の発光部２２１の初期化が終了した後に、第２のアレイ光源２２０の第２の発光部２２２の初期化を行う。この際、ＡＮＤ回路２７４には、初期化制御部２５４から出力された初期化信号２−２と信号制御部２８４から出力されたＨ状態が入力しており、ＡＮＤ回路２７４からＡＰＣ信号２−２が出力される。第２のアレイ光源２２０の第２の発光部２２２においては、ＡＮＤ回路２７４から出力されたＡＰＣ信号２−２に基づき、光波形２−２で示されるような発光がなされ、第２のアレイ光源２２０の第２の発光部２２２の初期化が行われる。
【００８２】
第２のアレイ光源２２０の第２の発光部２２２の初期化が終了した後は、信号制御部２８３では、接点の接続を切り替えて、ラインＡＰＣ制御部２６３と接続し、信号制御部２８４では、接点の接続を切り替えて、ラインＡＰＣ制御部２６４と接続する。これにより、ラインＡＰＣ制御部２６３から出力されたラインＡＰＣ信号２−１は、信号制御部２８３を介しＡＮＤ回路２７３に入力する。第２のアレイ光源２２０の第１の発光部２２１では、ＡＮＤ回路２７３より出力されたＡＰＣ信号２−１によりラインＡＰＣ制御が行われる。また、ラインＡＰＣ制御部２６４から出力されたラインＡＰＣ信号２−２は、信号制御部２８４を介しＡＮＤ回路２７４に入力する。第２のアレイ光源２２０の第２の発光部２２２では、ＡＮＤ回路２７４より出力されたＡＰＣ信号２−２によりラインＡＰＣ制御が行われる。
【００８３】
以上のように、図７に示される光書込駆動部１１０を有する本実施の形態における光ビーム走査装置では、同期検知素子１３０を１つにしても、第１のアレイ光源２１０及び第２のアレイ光源２２０における各々の発光部の初期化を正しく行うことができる。尚、上記においては、ラインＡＰＣ制御部２６１等とＡＮＤ回路２７１等との間に信号制御部２８１等が設けられた構造を示したが、信号制御部２８１等がラインＡＰＣ制御部２６１等に含まれている構造のものであってもよい。このような構造であっても、図８に示されるタイミングチャートと同様の光源の初期化を行うことができる。
【００８４】
図８では、信号制御部２８３及び信号制御部２８４がＨ状態と接続される期間が、電源を入れた当初より第２のアレイ光源２２０における第２の発光部２２２の初期化が完了するまでの場合を示したが、これよりも短くてもよい。具体的には、信号制御部２８３及び信号制御部２８４がＨ状態と接続される期間は、図９に示されるように、電源を入れた当初より第１のアレイ光源２１０における第２の発光部２１２の初期化が完了するまでよりも長ければよい。即ち、信号制御部２８３及び信号制御部２８４がＨ状態と接続される期間は、電源を入れることにより開始し、終了は第１のアレイ光源２１０の第２の発光部２１２の初期化が完了から第２のアレイ光源２２０の第２の発光部２２２の初期化が完了までの間である。
【００８５】
また、信号制御部２８３及び信号制御部２８４がＨ状態と接続される期間は、同期検知素子１３０からの同期検知信号により制御されるものであってもよい。具体的には、書込制御部２４１において、書込制御部２４１に入力した同期検知信号をカウントし、書込制御部２４１に入力した同期検知信号が所定の回数に達するまで、信号制御部２８３及び信号制御部２８４がＨ状態と接続されるものであってもよい。
【００８６】
また、図７では、書込制御部２４１には、初期化制御部、ラインＡＰＣ制御部、ＡＮＤ回路、信号制御部により同様の構成の回路が、各々４つ設けられている構造のものについて示した。しかしながら、第１のアレイ光源２１０に対応する部分については、信号制御部を設けなくとも同様の制御を行うことができる。即ち、図１０に示されるように、書込制御部２４２において、信号制御部は、第２のアレイ光源２２０に対応する部分についてのみ設け、第１のアレイ光源２１０に対応する部分には設けない構成であってもよい。
【００８７】
具体的には、書込制御部２４２には、第１のアレイ光源２１０の第１の発光部２１１に対応した初期化制御部２５１、ラインＡＰＣ制御部２６１、ＡＮＤ回路２７１が設けられている。ＡＮＤ回路２７１には、初期化制御部２５１から出力された初期化信号１−１、及び、ラインＡＰＣ制御部２６１から出力されたラインＡＰＣ信号１−１が入力しており、ＡＮＤ回路２７１において、これらのＡＮＤがとられ、ＡＰＣ信号１−１として出力される。
【００８８】
また、書込制御部２４２には、第１のアレイ光源２１０の第２の発光部２１２に対応した初期化制御部２５２、ラインＡＰＣ制御部２６２、ＡＮＤ回路２７２が設けられている。ＡＮＤ回路２７２には、初期化制御部２５２から出力された初期化信号１−２、及び、ラインＡＰＣ制御部２６２から出力されたラインＡＰＣ信号１−２が入力しており、ＡＮＤ回路２７２において、これらのＡＮＤがとられ、ＡＰＣ信号１−２として出力される。
【００８９】
また、書込制御部２４２には、第２のアレイ光源２２０の第１の発光部２２１に対応した初期化制御部２５３、ラインＡＰＣ制御部２６３、ＡＮＤ回路２７３、信号制御部２８３が設けられている。ラインＡＰＣ制御部２６３の出力は信号制御部２８３に入力しており、ＡＮＤ回路２７３には、初期化制御部２５３から出力された初期化信号２−１、及び、信号制御部２８３からの出力が入力している。ＡＮＤ回路２７３では、これらのＡＮＤがとられ、ＡＰＣ信号２−１として出力される。
【００９０】
また、書込制御部２４２には、第２のアレイ光源２２０の第２の発光部２２２に対応した初期化制御部２５４、ラインＡＰＣ制御部２６４、ＡＮＤ回路２７４、信号制御部２８４が設けられている。ラインＡＰＣ制御部２６４の出力は信号制御部２８４に入力しており、ＡＮＤ回路２７４には、初期化制御部２５４から出力された初期化信号２−２、及び、信号制御部２８４からの出力が入力している。ＡＮＤ回路２７４では、これらのＡＮＤがとられ、ＡＰＣ信号２−２として出力される。
【００９１】
上記における説明では、アレイ光源に設けられている発光部が２つであって、アレイ光源が２つの場合について説明したが、アレイ光源に設けられている発光部の数が複数であって、アレイ光源の数が複数であってもよい。即ち、アレイ光源に設けられている発光部の数は３つ以上であってもよく、アレイ光源の数は３つ以上であってもよい。この場合、発光部の数に対応して、初期化制御部、ラインＡＰＣ制御部、ＡＮＤ回路、信号制御部等の数が増え、アレイ光源の数に対応して光源制御部の数も増える。
【００９２】
以上、本発明の実施に係る形態について説明したが、上記内容は、発明の内容を限定するものではない。
【符号の説明】
【００９３】
１０        画像形成部
１１        給紙路
２０        感光体
３０        帯電部
４０        光書込部
５０        現像部
６０        転写部
７０        分離部
８０        クリーニング部
９０        定着部
１１０      光書込駆動部
１２０      光走査制御部
１３０      同期検知素子
１３１      第１の同期検知素子
１３２      第２の同期検知素子
１５０      ポリゴンミラー
２００      光源部
２１０      第１のアレイ光源
２１１      第１の発光部（ＬＤ１−１）
２１２      第２の発光部（ＬＤ１−２）
２１３      受光部（ＰＤ１）
２２０      第２のアレイ光源
２２１      第１の発光部（ＬＤ２−１）
２２２      第２の発光部（ＬＤ２−２）
２２３      受光部（ＰＤ２）
２３１      第１の光源制御部
２３２      第２の光源制御部
２４０、２４１、２４２      書込制御部
２５１、２５２、２５３、２５４      初期化制御部
２６１、２６２、２６３、２６４      ラインＡＰＣ制御部
２７１、２７２、２７３、２７４      ＡＮＤ回路
２８１、２８２、２８３、２８４      信号制御部
３１０、３１１      光源制御基板
３２０、３２１      書込制御基板
【先行技術文献】
【特許文献】
【００９４】
【特許文献１】特開２００７−１４８３５６号公報
【特許文献２】特開平１０−１６６６４９号公報
【特許文献３】特開２００５−１９３４５２号公報
【図１】
0006536260.tif 000002
【図２】
0006536260.tif 000003
【図３】
0006536260.tif 000004
【図４】
0006536260.tif 000005
【図５】
0006536260.tif 000006
【図６】
0006536260.tif 000007
【図７】
0006536260.tif 000008
【図８】
0006536260.tif 000009
【図９】
0006536260.tif 000010
【図１０】
0006536260.tif 000011